(57)【要約】      （修正有）【課題】接続データを直接伝送できる接続データ共有システムを提供する。【解決手段】少なくとも１台の被制御機器２を有するメッシュネットワーク環境１で用いる接続データ共有システム１０であって、データ送信装置２０とデータ受信装置３０とを含む。データ送信装置２０は統合モジュール２１と変換モジュール２２とを含み、統合モジュール２１が接続データを統合して統合データを得るために用いられ、変換モジュール２２が統合モジュール２１に電気的に接続し、統合データに基づいて変換して接続コードを生成する。データ受信装置３０は、読取モジュール３１と復元モジュール３２とを含み、読取モジュール３１が接続コードを判読するために用いられ、復元モジュール３２が読取モジュール３１に電気的に接続し、接続コードを統合データとして復元し、統合データを通じて少なくとも１台の被制御機器２との接続を確立するために用いられる。【選択図】図１
0003202019.tif 000002
【実用新案登録請求の範囲】
【請求項１】
少なくとも１台の被制御機器を有するメッシュネットワーク環境で用いる接続データ共有システムであって、
接続データを統合して統合データを得るための統合モジュールと、前記統合モジュールに電気的に接続し、前記統合データに基づいて変換して接続コードを生成するための変換モジュールと、を含むデータ送信装置と、
前記接続コードを判読するための読取モジュールと、前記読取モジュールに電気的に接続し、前記接続コードを前記統合データとして復元し、前記統合データを通じて少なくとも１台の被制御機器との接続を確立するための復元モジュールと、を含むデータ受信装置と、
を包括することを特徴とする接続データ共有システム。
【請求項２】
前記統合モジュールは、更に複数の使用権限及び複数の被制御機器のマッチングデータを統合することで前記統合データを得ることを特徴とする請求項１に記載の接続データ共有システム。
【請求項３】
前記接続コードは、ＱＲコードであることを特徴とする請求項１に記載の接続データ共有システム。
【請求項４】
前記読取モジュールは、更に前記ＱＲコードの画像を捕捉して前記接続コードを判読することを特徴とする請求項３に記載の接続データ共有システム。
【考案の詳細な説明】
【技術分野】
【０００１】
本考案は、接続データ共有システムに関し、特に、接続データを直接伝送できる接続データ共有システムに関する。
【背景技術】
【０００２】
科学技術の進歩に伴い、各タイプの無線ＬＡＮ運用も盛んに発展し、無線ＬＡＮ運用も同時に家庭用機器の自動接続方法にまで広がっている。従来技術においてすでにメッシュネットワーク（Ｍｅｓｈ  Ｎｅｔｗｏｒｋ）環境を有し、距離制限がなく、ハブに頼らない利点を利用して家庭自動制御の目的を達成しており、例えばＣＳＲ社が開発したＣＳＲｍｅｓｈ（登録商標）技術が使用されている。この種の技術を介してユーザは、身の回りのポータブル電子機器を利用してノードを有する異なる被制御機器に接続できる。しかしながら、ポータブル電子機器とノードがマッチングされた後、そのマッチングデータはこのポータブル電子機器内のみに保存され、別のポータブル電子機器が該ノードからマッチングデータを得ることができないため、使用上の制限が起きる。従来技術においてポータブル電子機器は、まずマッチングの関連情報を例えばＵＳＢフラッシュメモリ或いはクラウドハードディスクのような別途ストレージデバイスに伝送した後、別のポータブル電子機器がストレージデバイスからそのマッチング情報を読み込み並びに知り得ることができる。これはユーザにとって不便であった。
【０００３】
よって、従来技術の欠陥を解決するため、新しい接続データ共有システムを考案する必要がある。
【考案の概要】
【考案が解決しようとする課題】
【０００４】
本考案の主要目的は、接続データを直接伝送する効果を有する接続データ共有システムを提供することである。
【課題を解決するための手段】
【０００５】
上記目的を達成するため、本考案の接続データ共有システムは、メッシュネットワーク環境で用いられ、メッシュネットワーク環境内には少なくとも１台の被制御機器を有する。接続データ共有システムは、データ送信装置とデータ受信装置とを含む。データ送信装置は統合モジュールと変換モジュールとを含み、統合モジュールが接続データを統合して統合データを得るために用いられ、変換モジュールが統合モジュールに電気的に接続し、統合データに基づいて変換して接続コードを生成する。データ受信装置は、読取モジュールと復元モジュールとを含み、読取モジュールが該接続コードを判読するために用いられ、復元モジュールが読取モジュールに電気的に接続し、接続コードを統合データとして復元し、統合データを通じて少なくとも１台の被制御機器との接続を確立するために用いられる。
【図面の簡単な説明】
【０００６】
【図１】本考案に係る接続データ共有システムのアーキテクチャ模式図である。
【図２】本考案に係るデータ送信装置及びデータ受信装置の使用時の模式図である。
【図３】本考案に係る接続データ共有の方法のステップフローチャートである。
【考案を実施するための形態】
【０００７】
審査官に本考案の技術内容を更に理解してもらうため、以下に好ましい実施例を挙げて説明する。
【０００８】
以下、まず図１を参照する。図１は、本考案に係る接続データ共有システム１０のアーキテクチャ模式図である。
【０００９】
本考案に係る接続データ共有システム１０は、メッシュネットワーク（Ｍｅｓｈ  Ｎｅｔｗｏｒｋ）環境１で用いられ、メッシュネットワーク環境１内には少なくとも１台の被制御機器を有し、接続データ共有システム１０と被制御機器２との接続確立を許容させる。接続データ共有システム１０は、データ送信装置２０とデータ受信装置３０とを含む。データ送信装置２０及びデータ受信装置３０は、同一又は異なるポータブル電子機器とすることができ、例えば携帯電話、タブレット或いはウェアラブルデバイス等であるが、本考案はこれに限られるものではなく、且つ同一のポータブル電子機器も同時にデータ送信装置２０とデータ受信装置３０とを有し、つまり同時にデータの送受信機能を有することができる。
【００１０】
本考案の一実施例において、データ送信装置２０は統合モジュール２１と変換モジュール２２とを含む。統合モジュール２１は接続データを統合することで統合データを得るために用いられ、該接続データが該メッシュネットワーク環境１に適用する。且つ本考案の一実施例において、データ送信装置２０は、異なる権限を利用して異なる被制御機器２との接続を確立することができ、よって該統合モジュール２１が更に複数の使用権限及び複数の被制御機器のマッチングデータを統合することで該統合データを得る。変換モジュール２２は、統合モジュール２１に電気的に接続し、該統合データに基づいて変換して接続コードを生成するために用いられる。接続コードは、ＱＲコード（登録商標）とすることができるが、本考案はこれに限られるものではない。ＱＲコードの原理及び使用方法は、すでに本考案の属する技術の分野における通常の知識を有する者に幅広く運用され、且つ本考案が改良しようとする部分ではないため、その原理の説明を省略する。
【００１１】
データ受信装置３０は、読取モジュール３１と復元モジュール３２とを含む。読取モジュール３１は、該接続コードを判読するために用いられ、つまり接続コードがＱＲコードの場合、該読取モジュール３１が更に該ＱＲコードの画像を捕捉して該接続コードを判読する。復元モジュール３２は読取モジュール３１に電気的に接続し、該接続コードを該統合データに復元するために用いられ、複数の使用権限及び複数の被制御機器のマッチングデータ等の復元を含み、これを介してデータ受信装置３０或いはデータ受信装置３０の属するポータブル電子機器も被制御機器２に対して接続を確立できる。
【００１２】
特に、接続データ共有システム１０が備える各モジュールは、ハードウェアデバイス、ソフトウェアプログラムをハードウェアデバイスに結合したり、ファームウェアをハードウェアデバイスに結合する等形態のアーキテクチャからなることができ、例えばコンピュータで読み取ることができる媒体内に保存するアプリケーションソフトウェアであるが、本考案は上記形態に限られるものではない。このほかに、本実施形態はわずか本考案の好ましい実施例のみを例示し、繰り返し述べたてるのを避けるため、全ての可能な変化組合せを詳細に記載していない。しかしながら、この分野における通常知識を有する者は、上記各モジュール又は素子が必ず全て必要があるわけはないことを理解すべきである。且つ本考案を実施するため、その他の比較的細部の従来モジュール又は素子も含むことができる。各モジュール又は素子は、ニーズを見て省略或いは変更でき、且ついかなる２つのモジュールの間にその他のモジュール又は素子が存在している。
【００１３】
次に、図２を参照する。図２は、本考案に係るデータ送信装置及びデータ受信装置の使用時の模式図である。
【００１４】
図２に示すように、データ送信装置２０の属するポータブル電子機器は、被制御機器２ａ、２ｂ、２ｃとの接続を確立できる場合、データ送信装置２０が被制御機器２ａ、２ｂ、２ｃと接続する関連データを有する。この時データ送信装置２０は、統合して被制御機器２ａ、２ｂ、２ｃとの接続を確立できる統合データをデータ受信装置３０に伝送する。こうすると、データ受信装置３０は統合データを受信して変換した後、データ受信装置３０の属するポータブル電子機器がメッシュネットワーク環境１の下で被制御機器２ａ、２ｂ、２ｃに接続して更に被制御機器２ａ、２ｂ、２ｃを制御できる。
【００１５】
次に図３を参照すると、本考案に係る接続データ共有の方法のステップフローチャートである。ここでは特に、以下、上記接続データ共有システム１０を例として本考案に係る接続データ共有の方法を説明するが、本考案に係る接続データ共有の方法は上記同一構造の接続データ共有システム１０に使用することに限られるものではない。
【００１６】
データ送信装置２０がデータを共有したい時、まずデータ送信装置２０は伝送フローを実行するステップ３ａを行う。
【００１７】
データ送信装置２０が異なる権限で異なる被制御機器２ａ、２ｂ、２ｃとの接続を確立できる状態において、データ送信装置２０はデータ伝送フローを実行でき、つまり以下のステップを行う。
【００１８】
データ送信装置２０は、先に接続データを統合することで統合データを得るステップ３０１を行う。
【００１９】
データ送信装置２０の統合モジュール２１は、被制御機器２ａ、２ｂ、２ｃとの接続データを統合することで統合データを得る。統合モジュール２１は、同時に被制御機器２ａ、２ｂ、２ｃの複数の使用権限及び複数の被制御機器のマッチングデータを統合することで該統合データを得ることができる。
【００２０】
次に、該統合データに基づいて変換して接続コードを生成するステップ３０２を行う。
【００２１】
変換モジュール２２は、該統合データに基づいて変換して接続コードを生成するために用いられ、例えばＱＲコードに変換するが、本考案はこれに限られるものではない。
【００２２】
そしてデータ受信装置３０は、受信フローを実行するステップ３ｂを行う。
【００２３】
次にデータ受信装置３０は、受信フローを実行でき、つまり以下のステップを行う。
【００２４】
データ受信装置３０は、先に該接続コードを判読するステップ３０３を行う。
【００２５】
データ受信装置３０の読取モジュール３１は、先に変換モジュール２２で生成した接続コードを判読し、接続コードがＱＲコードの場合、読取モジュール３１がＱＲコードの画像を捕捉してから判読する。
【００２６】
次に、該接続コードを該統合データに復元するステップ３０４を行う。
【００２７】
そして復元モジュール３２は、読取モジュール３１が読み取った該接続コードを該統合データに復元することで、複数の使用権限及び複数の被制御機器のマッチングデータを知り得る。
【００２８】
最後に該統合データを通じて少なくとも１台の被制御機器との接続を確立するステップ３０５を行う。
【００２９】
最後にデータ受信装置３０又はデータ受信装置３０の属するポータブル電子機器は、該統合データを通じて被制御機器２ａ、２ｂ、２ｃの全部或いはいずれかとの接続を確立することで、被制御機器２ａ、２ｂ、２ｃを制御できる。
【００３０】
特に、本考案に係る接続データ共有の方法は、上記ステップの順序に限られるものではなく、本考案の目的を達成できれば、上記ステップの順序も変更できる。
【００３１】
こうすると、データ受信装置３０或いはデータ受信装置３０の属するポータブル電子機器は、簡単に統合データを知り得ることで、更にメッシュネットワーク環境１の下で被制御機器２ａ、２ｂ、２ｃに接続並びに制御できる。
【００３２】
このほかに、本実施形態はわずか本考案の好ましい実施例を例示するものであって、実施例に限定されるものではなく、繰り返し述べたてるのを避けるため、全ての可能な変化組合せを詳細に記載していない。しかしながら、この分野における通常知識を有する者は、上記各モジュール又は素子が必ず全て必要があるわけはないことを理解すべきである。且つ本考案を実施するため、その他の比較的細部の従来モジュール又は素子も含むことができる。各モジュール又は素子は、ニーズを見て省略或いは変更でき、且ついかなる２つのモジュールの間にその他のモジュール又は素子が存在している。本考案の趣旨から逸脱することなく、本考案が主張する保護範囲に属し、実用新案登録請求の範囲を基準とする。
【符号の説明】
【００３３】
１ メッシュネットワーク環境
２、２ａ、２ｂ、２ｃ 被制御機器
１０ 接続データ共有システム
２０ データ送信装置
２１ 統合モジュール
２２ 変換モジュール
３０ データ受信装置
３１ 読取モジュール
３２ 復元モジュール
【図１】
0003202019.tif 000003
【図２】
0003202019.tif 000004
【図３】
0003202019.tif 000005